【手続補正書】
【提出日】平成24年1月20日(2012.1.20)
【手続補正１】
【補正対象書類名】特許請求の範囲
【補正対象項目名】全文
【補正方法】変更
【補正の内容】
【特許請求の範囲】
【請求項１】
磁気回路と、磁界センサーと、補償回路とを備えるクローズドループ電流センサーであって、
この補償回路は、前記磁気回路の中央開口部を貫通して延在する一つ以上の一次導体内を流れる測定対象の電流により生じる磁界と逆向きの磁界を生成するように構成され、前記磁気回路は、実質的に閉じられた磁気回路を形成するように互いに組立てられた、少なくとも二つのコア部分により形成される磁気コアを備え、前記磁気回路の第二枝部が、一つ以上の側壁部により結合された内壁部と外壁部とを備え、これらの側壁部は、前記磁界センサーを内部で収容する空洞部を少なくとも部分的に囲み、前記側壁部及び外壁部は、前記内壁部の一方又は両方の側縁部から延在するクローズドループ電流センサー。
【請求項２】
前記磁気回路の前記第二枝部は、磁気コア部分の内壁部、側壁部、又は外壁部から延在し、且つ他の磁気コア部分の対応する一つ以上の壁部に重なる一つ以上の延長部を備える請求項１記載のセンサー。
【請求項３】
前記空洞部のいずれかの側に、側壁部が存在する請求項１又は２記載のセンサー。
【請求項４】
前記磁気回路は、前記内壁部、外壁部、又は側壁部の自由端縁部同士の間にエアギャップを備える請求項１〜３のいずれかに記載のセンサー。
【請求項５】
前記磁気コア部分は、シートメタルから打抜き成形された部分である請求項１〜４のいずれかに記載のセンサー。
【請求項６】
前記磁気コアは、対向する側方枝部を有する略平行六面体形状であり、これらの側方枝部は、対向する第一枝部と第二枝部とを結合し、前記第一及び第二枝部は、それぞれのコア部分に分けられる請求項１〜５のいずれかに記載のセンサー。
【請求項７】
前記磁気コアの前記第一及び第二枝部は、前記補償回路のコイル支持体の空洞内に挿入される請求項６記載のセンサー。
【請求項８】
前記補償回路は、各コイル支持体の周囲にそれぞれ巻かれた、対をなすコイルを備える請求項７記載のセンサー。
【請求項９】
前記対向する第一枝部と第二枝部とを相互接続する前記磁気回路の前記側方枝部は、それぞれ打抜きによる畝形状又は型押し形状の補強部を備える請求項７又は８記載のセンサー。
【請求項１０】
前記磁界センサーは、誘電性の支持体と、この支持体上に装着されたフラックスゲートコアと、前記支持体及びフラックスゲートコアの周囲に巻かれたフラックスゲートコイルとを備え、電気端子が、前記誘電性の支持体に確実に固定され、前記端子は、前記フラックスゲートコイルの端部が電気接続するためのコイル接続部と、前記磁界センサーが回路基板に接続するための端子部とを備える請求項１〜９のいずれかに記載のセンサー。
【請求項１１】
前記回路基板は、前記補償回路の第一及び第二のコイルの各端部に隣接する請求項１０記載のセンサー。
【請求項１２】
前記磁界センサーを収容する前記磁気回路の枝部の一部周囲に延在する、一つ以上の略Ｕ字形状の一次導体部を備える請求項１〜１１のいずれかに記載のセンサー。
【請求項１３】
複数の予め形成された一次導体案内用空洞を有する筐体を備え、これらの一次導体案内用空洞は、一つ以上の一次導体部がこれらの空洞を貫通して挿入されるように、前記筐体の対向する側面の間で前記磁気回路の中央開口部を貫通して延在する請求項１２記載のセンサー。
【請求項１４】
前記一次導体又は異なる一次電流が流れる一次導体群は、これらの導体の間に位置する少なくとも一つの予め形成された筐体の空洞を空けておくことで生じる間隔によって隔てられる請求項１３記載のセンサー。
【請求項１５】
前記筐体は、前記一次導体部の側方枝部を位置決めするために、前記筐体の側面に沿って案内用溝を備える請求項１３又は１４記載のセンサー。
【請求項１６】
各Ｕ字形状の一次導体部は曲げられており、これにより、この一次導体部は、装着面と直交する面に位置する案内用溝を貫通して延在し、この装着面は、前記Ｕ字形状の一次導体が貫通して延在する、対応する予め形成された空洞を通って延在する面と平行であり、且つこの平行な面から段差を有して配置される請求項１５記載のセンサー。
【手続補正２】
【補正対象書類名】明細書
【補正対象項目名】００１７
【補正方法】変更
【補正の内容】
【００１７】
本発明の様々な目的は、請求項記載の電流センサーを提供することで達成されている。
【手続補正３】
【補正対象書類名】明細書
【補正対象項目名】００４０
【補正方法】変更
【補正の内容】
【００４０】
内壁部４０ａ、４０ｂの対向する自由端縁部５３ａ、５３ｂは、これらの間にエアギャップ５４を形成する。互いに重なる外側延長部５０と外壁部４２ｂとの間の界面５６も、エアギャップを形成し、このエアギャップは、空洞４４の側方における開口部と同様に、磁界検出器を横切る磁束に影響を及ぼす。磁界検出器の操作及び制御は、これらのエアギャップと開口部との存在を考慮して行われる。しかしながら、外壁コア部の対向する自由端縁部が当接することで、ギャップ寸法の僅かな差異によって磁束線、従って測定信号に重大な影響が及ぼされる構成と比較すると、二つのコア部分の延長部５０と外壁部４２ｂとが重なる関係によれば、製造公差の影響は大幅に低減される。また、外壁延長部５０は、遮蔽効果も提供し、この遮蔽効果によって、測定信号に対する外部磁界の影響によって及ぼされる影響が低減される。延長部５０と外壁部４２ｂとは、互いに当接し、補償回路の二次コイル１６ｂの支持体１４ｂ内において、空洞５６の対向する壁によって互いに押圧される（図１参照）。二つのコア部分２８ａ、２８ｂは、コイル支持体のそれぞれの空洞３８、５６内に、対向する端部から挿入されるため、好適には、他方のコア部分の外壁部４２ｂに関する挿入や案内が容易に行われるように、面取りされた面５８が、延長部５０の自由端縁部に設けられてもよい。
【手続補正４】
【補正対象書類名】明細書
【補正対象項目名】００４４
【補正方法】変更
【補正の内容】
【００４４】
図３及び図１を参照すると、図示される電流センサーの実施形態においては、磁界検出器は、フラックスゲートコア１８を備えるフラックスゲートセンサーであり、好適には、このフラックスゲートコア１８は、強磁性非晶質材料のストリップ形状であってもよく、この強磁性非晶質材料は、例えば、Ｈｉｔａｃｈｉ  Ｍｅｔａｌｓ／Ｍｅｔｇｌａｓ製の合金２７１４Ａのようなコバルト系合金であって、誘電性の支持体１９の内部又は上部に装着され、この誘電性の支持体１９は、例えば好適には、射出成形されたプラスチックから形成されてもよい。そして、フラックスゲートコイル２０が、支持体１９の一部と、この支持体の上部又は内部のフラックスゲートコアとの周囲に巻かれる。示される本実施形態においては、フラックスゲートコア１８は、支持体１９の窪み６８内に装着される。しかしながら、フラックスゲートコアは、円筒の棒形状又は矩形の棒形状であってもよいし、他の形状を有してもよく、また、支持体１９内の空洞内に装着されてもよい。
【手続補正５】
【補正対象書類名】図面
【補正対象項目名】図２ｂ
【補正方法】変更
【補正の内容】
【図２ｂ】
2011510318.tif 000001
【手続補正６】
【補正対象書類名】図面
【補正対象項目名】図２ｃ
【補正方法】変更
【補正の内容】
【図２ｃ】
2011510318.tif 000002
【手続補正７】
【補正対象書類名】図面
【補正対象項目名】図２ｄ
【補正方法】変更
【補正の内容】
【図２ｄ】
2011510318.tif 000003